(57)【要約】      （修正有）【課題】冷凍されたマイクロチューブ内の試料を、適正な解凍条件で短時間に解凍して分析や試験を迅速に行なうことができ、とくに緊急に分析や試験を行う際に即応できる、ＩＣタグを備えている管理対象物の加熱装置を提供する。【解決手段】試料等を収容するマイクロチューブ（管理対象物）１と、マイクロチューブ１に配置したＩＣタグ２と、ＩＣタグ２に対して情報信号を送受するリーダライタ３と、リーダライタ３の作動状態を制御するコンピュータとからなる。コンピュータの指令信号に基づきリーダライタ３とＩＣタグ２との間で通信を確立して、ＩＣタグ２のアンテナ１４およびＩＣチップに電流が流れるときの熱で、マイクロチューブ１および試料を加熱する。ＩＣタグ２は、ＩＣチップの表面にアンテナが形成してある１チップ構造のＩＣタグで構成する。【選択図】図１
2012220459.tif 000002
【特許請求の範囲】
【請求項１】
試料等を収容する管理対象物（１）と、管理対象物（１）の任意の位置に配置したＩＣタグ（２）と、ＩＣタグ（２）に対して情報信号を送受するリーダライタ（３）と、リーダライタ（３）の作動状態を制御するコンピュータ（４）とからなり、
コンピュータ（４）の指令信号に基づきリーダライタ（３）とＩＣタグ（２）との間で通信を確立して、ＩＣタグ（２）のアンテナ（１４）およびＩＣチップ（１３）に電流が流れるときの熱で、管理対象物（１）および試料を加熱することを特徴とするＩＣタグを備えている管理対象物の加熱装置。
【請求項２】
管理対象物がマイクロチューブ（１）からなり、
ＩＣタグ（２）が、ＩＣチップ（１３）の表面にアンテナ（１４）が形成してある１チップ構造のＩＣタグで構成してある請求項１に記載のＩＣタグを備えている管理対象物の加熱装置。
【請求項３】
マイクロチューブ（１）を構成するチューブ本体（５）の底壁外面に臨んでＩＣタグ（２）が配置されており、
チューブ本体（５）の温度状態を検出する温度センサー（１８）が、マイクロチューブ（１）を支持するチューブラック（７）に設けられており、
温度センサー（１８）の出力信号に基づき、コンピュータ（４）がリーダライタ（３）の作動状態を制御して、冷凍されたチューブ本体（５）および試料を加熱して解凍する請求項２に記載のＩＣタグを備えている管理対象物の加熱装置。
【請求項４】
一群のマイクロチューブ（１）がチューブラック（７）に装填されており、
リーダライタ（３）に、チューブラック（７）に装填した個々のマイクロチューブ（１）に対応するアンテナ（１５）の一群が設けられており、
チューブラック（７）に装填したマイクロチューブ（１）の一群を同時に加熱でき、あるいは選択されたマイクロチューブ（１）のみを加熱できることを特徴とする、請求項２または３に記載のＩＣタグを備えている管理対象物の加熱装置。
【請求項５】
試料等を収容する管理対象物（１）にＩＣタグ（２）が設けられており、
ＩＣタグ（２）に対して情報信号を送受するリーダライタ（３）の作動状態をコンピュータ（４）で制御して、
コンピュータ（４）の指令信号に基づきリーダライタ（３）とＩＣタグ（２）との間で通信を確立し、
ＩＣタグ（２）のアンテナ（１４）およびＩＣチップ（１３）に電流が流れるときの熱で、管理対象物（１）および試料を加熱することを特徴とするＩＣタグを備えている管理対象物の加熱方法。
【請求項６】
管理対象物がマイクロチューブ（１）からなり、ＩＣタグ（２）が、ＩＣチップ（１３）の表面にアンテナ（１４）が形成してある１チップ構造のＩＣタグで構成してある管理対象物の加熱方法であって、
マイクロチューブ（１）を支持するチューブラック（７）に設けた温度センサー（１８）の出力信号に基づき、コンピュータ（４）がリーダライタ（３）の作動状態を制御して、冷凍されたチューブ本体（５）および試料を加熱して解凍する請求項５に記載のＩＣタグを備えている管理対象物の加熱方法。
【請求項７】
リーダライタ（３）に、チューブラック（７）に装填した一群のマイクロチューブ（１）に対応するアンテナ（１５）の一群が設けられており、
チューブラック（７）に装填したマイクロチューブ（１）の一群を同時に加熱し、あるいは選択されたマイクロチューブ（１）のみを加熱する請求項５または６に記載のＩＣタグを備えている管理対象物の加熱方法。
【発明の詳細な説明】
【技術分野】
【０００１】
本発明は、ＩＣタグを備えている管理対象物を加熱するための加熱装置とその方法に関する。管理対象物としては、医療、生化学、分子生物学などの分野において分析、試験などを行なう際に使用されるマイクロチューブ、あるいは恒温状態で保存する必要がある物質を収容する容器、食品容器などがある。
【背景技術】
【０００２】
本発明に関して、ＩＣタグを備えているマイクロチューブは特許文献１に公知である。そこでは、容器本体を成形する際にＩＣチップを肉壁内に埋設している。あるいは、ＩＣチップが埋設されたプラスチック片を容器本体に貼着している。同様に、ＩＣタグを埋設した食品容器が特許文献２に公知である。そこでは、プラスチックシートの上面にＩＣタグを仮接着し、その外面に別のプラスチックシートを積層して食品容器の形成素材とする。得られた積層シートを加熱しながらプレスして食品容器としている。
【０００３】
本発明に関して、例えば凍結製剤の解凍装置が公知である（特許文献３）。そこでは、恒温水槽と、温水温度などを管理するコントロールユニットと、凍結製剤を支持するラックと、凍結製剤をラックごと振盪する振盪装置などで解凍装置を構成している。この解凍装置によれば、凍結保存された多数個の凍結製剤を適正な温度で効率よく解凍できる。
【先行技術文献】
【特許文献】
【０００４】
【特許文献１】特開２００１−３４０４２６号公報（段落番号００１０、図１）
【特許文献２】特開２００４−２３８０３０号公報（段落番号００１４、図１）
【特許文献３】特開２００９−０５０３１６号公報（段落番号００１４、図２）
【発明の概要】
【発明が解決しようとする課題】
【０００５】
例えば、環境温度の変化で変質しやすい試料は、マイクロチューブに収容した状態のままで冷凍して保管することが多い。冷凍された試料を分析や試験に供する場合には、マイクロチューブを常温環境に放置して自然解凍し、あるいは、マイクロチューブを流水中に浸漬して解凍する。しかし、いずれの場合にも解凍に多くの時間が掛かるため、緊急に分析や試験を行わねばならないような場合に対応できない。
【０００６】
その点、特許文献３のように凍結製剤を振盪しながら温水で加熱する湯煎式の解凍装置を用いると、より短い時間で試料を解凍できる。しかし、この種の解凍装置は導入コストに加えて、解凍処理すべき容器の大きさや構造に応じて、専用のラックを用意しなければならず全体コストが嵩む。また、解凍対象が１個の場合でも、多数個の解凍対象を解凍するときと同じ条件で解凍装置を作動させる必要があるため、エネルギーロスが多い。さらに、種類が異なる試料ごとに異なる解凍条件で解凍を行う必要があるので、異質の試料を同時に解凍することが難しい。マイクロチューブ内の試料を解凍する場合には、温水中にマイクロチューブを浸漬しなければならず、チューブ表面にラベルが貼り付けてある場合に、剥がれ落ちてしまう不利もある。
【０００７】
本発明の目的は、マイクロチューブなどの管理対象物に収容した試料等を、適正な条件で加熱して冷凍された試料を解凍でき、あるいは恒温状態に保持できる、ＩＣタグを備えている管理対象物の加熱装置とその方法を提供することにある。
本発明の目的は、ラックに装填した一群の管理対象物を同時に加熱でき、あるいは一群の管理対象物の中から選択された管理対象物を無駄なく加熱できる、ＩＣタグを備えている管理対象物の加熱装置とその方法を提供することにある。
本発明の目的は、冷凍されたマイクロチューブ内の試料を、適正な解凍条件で短時間に解凍して分析や試験を迅速に行なうことができ、とくに緊急に分析や試験を行う際に即応できる、ＩＣタグを備えているマイクロチューブの加熱装置とその方法を提供することにある。
【課題を解決するための手段】
【０００８】
本発明に係るＩＣタグを備えている管理対象物の加熱装置は、試料等を収容する管理対象物１と、管理対象物１の任意の位置に配置したＩＣタグ２と、ＩＣタグ２に対して情報信号を送受するリーダライタ３と、リーダライタ３の作動状態を制御するコンピュータ４とからなる。コンピュータ４の指令信号に基づきリーダライタ３とＩＣタグ２との間で通信を確立して、ＩＣタグ２のアンテナ１４およびＩＣチップ１３に電流が流れるときの熱で、管理対象物１および試料を加熱することを特徴とする。
【０００９】
管理対象物はマイクロチューブ１からなる。ＩＣタグ２は、ＩＣチップ１３の表面にアンテナ１４が形成してある１チップ構造のＩＣタグで構成する。
【００１０】
マイクロチューブ１を構成するチューブ本体５の底壁外面に臨んでＩＣタグ２を配置する。チューブ本体５の温度状態を検出する温度センサー１８を、マイクロチューブ１を支持するチューブラック７に設ける。温度センサー１８の出力信号に基づき、コンピュータ４がリーダライタ３の作動状態を制御して、冷凍されたチューブ本体５および試料を加熱して解凍できるようにする。
【００１１】
一群のマイクロチューブ１をチューブラック７に装填する。リーダライタ３に、チューブラック７に装填した個々のマイクロチューブ１に対応するアンテナ１５の一群を設けて、チューブラック７に装填したマイクロチューブ１の一群を同時に加熱する。あるいは選択されたマイクロチューブ１のみを加熱できるようにする。
【００１２】
本発明に係るＩＣタグを備えている管理対象物の加熱方法においては、試料等を収容する管理対象物１にＩＣタグ２が設けてある。ＩＣタグ２に対して情報信号を送受するリーダライタ３の作動状態をコンピュータ４で制御して、コンピュータ４の指令信号に基づきリーダライタ３とＩＣタグ２との間で通信を確立し、ＩＣタグ２のアンテナ１４およびＩＣチップ１３に電流が流れるときの熱で、管理対象物１および試料を加熱することを特徴とする。
【００１３】
管理対象物は、マイクロチューブ１からなり、ＩＣタグ２は、ＩＣチップ１３の表面にアンテナ１４が形成してある１チップ構造のＩＣタグで構成する。マイクロチューブ１を支持するチューブラック７に設けた温度センサー１８の出力信号に基づき、コンピュータ４がリーダライタ３の作動状態を制御して、冷凍されたチューブ本体５および試料を加熱して解凍する。
【００１４】
リーダライタ３に、チューブラック７に装填した一群のマイクロチューブ１に対応するアンテナ１５の一群を設ける。チューブラック７に装填したマイクロチューブ１の一群を同時に加熱できる。あるいは選択されたマイクロチューブ１のみを加熱できる。
【発明の効果】
【００１５】
本発明においては、管理対象物１に設けたＩＣタグ２と、ＩＣタグ２用のリーダライタ３と、リーダライタ３の作動状態を制御するコンピュータ４などで管理対象物の加熱装置を構成した。また、コンピュータ４の指令信号に基づきリーダライタ３とＩＣタグ２との間で通信を確立して、ＩＣタグ２のアンテナ１４およびＩＣチップ１３に電流が流れるときの熱で、管理対象物１および試料を加熱できるようにした。
【００１６】
このように、本発明の加熱装置は、元来、管理対象物１を管理するためのＩＣタグ２、リーダライタ３、およびコンピュータ４をそのまま利用して、管理対象物１を加熱できる。したがって、湯煎式の解凍装置などの新たな設備を導入するためのコストを負担する必要もなく、管理対象物１および試料を所定の状態に加熱することができる。また、ＩＣタグ２のアンテナ１４およびＩＣチップ１３に電流が流れるときの熱を利用して、管理対象物１を積極的に加熱するので、例えば冷凍された管理対象物１を自然解凍する場合に比べて、管理対象物１を適正な解凍条件で短時間に解凍することができる。したがって、冷凍保存していた試料の分析や試験を迅速に行なうことができ、とくに緊急に分析や試験を行う際にも即応できる。空気中で管理対象物１を加熱するので、管理対象物１に貼り付けたラベルが剥がれ落ちることもない。
【００１７】
ＩＣタグ２が、ＩＣチップ１３の表面にアンテナ１４が形成してある１チップ構造のＩＣタグで構成してあると、一般的なＩＣタグに比べて、アンテナ１４のインピーダンスを大きくすることができる。したがって、ＩＣタグ２とリーダライタ３との間で通信を確立してアンテナ１４に電流が流れるときの発熱量を増強して、マイクロチューブ１を効果的に加熱できる。
【００１８】
チューブ本体５の底壁外面に臨んでＩＣタグ２を配置すると、ＩＣタグ２のアンテナ１４とリーダライタ３のアンテナ１５とを近接した状態で正対させて、ＩＣタグ２とリーダライタ３との間の通信を安定した状態で適正に行なえる。また、チューブラック７に温度センサー１８を設けて、温度センサー１８でチューブ本体５の温度状態を検知しながら、でリーダライタ３の作動状態をコンピュータ４で制御すると、チューブ本体５を過不足のない状態で的確に目標温度に加熱できる。
【００１９】
リーダライタ３に、チューブラック７に装填した個々のマイクロチューブ１に対応するアンテナ１５の一群を設けると、マイクロチューブ１の一群を同時に加熱することができる。さらに、選択されたマイクロチューブ１のみを、エネルギーロスのない状態で無駄なく加熱することができる。特定した複数のマイクロチューブ１を、指定した順番で指定した時間差ごとに加熱することもできる。
【００２０】
本発明に係る管理対象物の加熱方法においては、コンピュータ４の指令信号に基づきリーダライタ３とＩＣタグ２との間で通信を確立して、ＩＣタグ２のアンテナ１４およびＩＣチップ１３に電流が流れるときの熱で管理対象物１および試料を加熱する。
【００２１】
上記のように、本発明の加熱方法においては、元来、管理対象物１を管理するためのＩＣタグ２、リーダライタ３、およびコンピュータ４をそのまま利用して、管理対象物１を加熱できる。したがって、湯煎式の解凍装置などの新たな設備を導入するためのコストを負担する必要もなく、管理対象物１および試料を所定の状態に加熱することができる。また、ＩＣタグ２のアンテナ１４およびＩＣチップ１３に電流が流れるときの熱を利用して、管理対象物１を積極的に加熱するので、例えば冷凍された管理対象物１を自然解凍する場合に比べて、管理対象物１を適正な解凍条件で短時間に解凍することができる。したがって、冷凍保存していた試料の分析や試験を迅速に行なうことができ、とくに緊急に分析や試験を行う際にも即応できる。空気中で管理対象物１を加熱するので、管理対象物１に貼り付けたラベルが剥がれ落ちることもない。
【００２２】
上記の加熱方法において、チューブラック７に温度センサー１８を設けて、温度センサー１８でチューブ本体５の温度状態を検知しながら、でリーダライタ３の作動状態をコンピュータ４で制御すると、チューブ本体５を過不足のない状態で的確に目標温度に加熱できる。
【００２３】
上記の加熱方法において、リーダライタ３に、チューブラック７に装填した一群のマイクロチューブ１に対応するアンテナ１５の一群を設ける場合には、チューブラック７に装填したマイクロチューブ１の一群を同時に加熱できる。さらに、選択されたマイクロチューブ１のみを、エネルギーロスのない状態で無駄なく加熱することができる。
【図面の簡単な説明】
【００２４】
【図１】本発明に係るマイクロチューブとリーダライタの関係を示す断面図である。
【図２】本発明に係る加熱装置の概略を示す説明図である。
【図３】本発明に係るマイクロチューブの正面図と、ＩＣタグの斜視図である。
【図４】本発明に係る加熱方法の処理手順を示すフローチャートである。
【図５】別の実施例に係るマイクロチューブの正面図と断面図である。
【発明を実施するための形態】
【００２５】
（実施例）  図１ないし図４は本発明に係るＩＣタグを備えている管理対象物の加熱装置の実施例を示す。図２において加熱装置は、試料等を収容するマイクロチューブ（管理対象物）１と、マイクロチューブ１に設けたＩＣタグ２と、ＩＣタグ２に対して情報信号を送受するリーダライタ３と、リーダライタ３の作動状態を制御するコンピュータ４などで構成する。
【００２６】
図１および図３に示すようにマイクロチューブ１は、円筒状のチューブ本体５と、チューブ本体５の上面の開口を塞ぐキャップ６とからなる。チューブ本体５およびキャップ６は、透明なポリプロピレンを素材とする射出成形品からなる。チューブ本体５の上部周面には、チューブラック７の装填穴の開口周縁壁で受止められるフランジ８が張出してあり、チューブ本体５の底部には、ＩＣタグ２を装填するための装填部９と、チューブ本体５の筒壁に連続する脚壁１０とが一体に形成してある。図示していないが、キャップ６の内面にはシールリングが設けてあり、キャップ６をチューブ本体５の開口周囲壁にねじ込むことにより開口を密閉できる。マイクロチューブ１の内容量は２ｍｌと４ｍｌとがあるが、両者はチューブ本体５の上下寸法が異なるだけである。
【００２７】
図１に想像線で示すように、溶融加工が施される前の装填部９は、脚壁１０と同心状の筒壁として形成されている。装填部９の内部にＩＣタグ２を装填したのち、装填部９の筒壁を溶融して筒内に充満させることにより、ＩＣタグ２の外面を溶融樹脂で覆うことができ、これにより図１に実線で示すように、ＩＣタグ２が装填部９の内部に埋設する状態で固定される。ＩＣタグ２は、そのアンテナ１４が下向きになる状態で装填部９に埋設してある。
【００２８】
図３に示すようにＩＣタグ２は、一辺の長さが２．５ｍｍの正方形状のＩＣチップ１３の表面に、渦巻状のアンテナ１４を形成した１チップ構造（コイルオンチップ構造）のＩＣタグからなり、非接触式の近接型のＲＦＩＤとして構成してある。アンテナ１４は、ＩＣチップ１３の表面に形成した銅のメッキ層にエッチングを施して形成してあり、実際には、線幅が１１μｍのアンテナコイル１４ａを四角渦巻状に配置して高い配置密度で形成してある。内外に隣接するアンテナコイル１４ａは４μｍの隙間を介して形成してある。このように、高い配置密度で形成したアンテナ１４は、一般的なＩＣタグに比べてインピーダンスが高く、リーダライタ３のアンテナ１５と磁束結合する状態では、アンテナコイル１４ａを流れる電流によって抵抗熱を発生する。因みに、一般的なＩＣタグのアンテナのレジスタンスが１０Ω程度であるのに対し、本実施例に係る１チップ構造のＩＣタグ２のアンテナ１４のレジスタンスは約１００Ωとなる。
【００２９】
図示していないが、チューブラック７は平面視が長方形状に形成してあり、短辺に沿って６個、長辺に沿って８個の装填穴が配置してあり、合計４８個のマイクロチューブ１を装填できる。図２に示すように、各装填穴の内部には、チューブ本体５の周面の温度を検出する温度センサー１８が設けてある。温度センサー１８は、箔状の熱電対を絶縁シートの片面に固定したシート状のセンサーからなり、マイクロチューブ１を装填穴に差込み装填することにより、温度センサー１８がチューブ本体５の周面に密着できるように、センサーホルダーで支持してある。マイクロチューブ１を装填穴に差込んだ装填状態において、チューブ本体５の下面は、図１に示すように、チューブラック７の載置面よりも僅かに上側に位置している。
【００３０】
リーダライタ３は、上面にチューブラック７の載置面を備えた箱状の装置からなり、載置面には、チューブラック７に装填した個々のマイクロチューブ１に対応するアンテナ１５の一群が、装填穴の配置パターンに対応して設けてある。リーダライタ３と各マイクロチューブ１との間で情報信号を送受することにより、マイクロチューブ１および試料の固有情報や関連情報などをＩＣタグ２に記録し、あるいはＩＣタグ２に記録された固有情報や履歴情報等を読み取ることができる。
【００３１】
マイクロチューブ１には血液、血清、細菌、細胞、ＤＮＡ、ＲＮＡなどの試料が収容されるが、試料の変質を防ぐために−８０℃に冷凍した状態で保管することがある。このように冷凍された試料を解凍するために、本発明では、ＩＣタグ２を利用してマイクロチューブ１を加熱する。詳しくは、冷凍されたマイクロチューブ１が装填されたチューブラック７をリーダライタ３の上面に載置して、ＩＣタグ２に設けたアンテナ１４と、リーダライタ３のアンテナ１５とを図１に示すように上下に正対させる。このとき、チューブラック７には１個以上、４８個以下のマイクロチューブ１を装填することができる。
【００３２】
以上のようにして解凍準備が整った状態で、図４に示すようにコンピュータ４に必要なパラメータを入力して解凍条件を設定する（ステップ１）。次ぎに、コンピュータ４からリーダライタ３に発した指令信号に基いて、リーダライタ３とＩＣタグ２との間で通信を確立して、リーダライタ３のアンテナ１５とＩＣタグ２のアンテナ１４を磁束結合させて、ＩＣタグ２側のアンテナ１４に電流を流す（ステップ２）。コンピュータ４の内部では、リーダライタ３とＩＣタグ２との間で通信を確立した時点でタイマーを起動させ、発熱開始から経過した時間が所定時間に達したか否かを判定する（ステップ３）。並行して、発熱開始から経過した時間と、ＩＣタグ２のアンテナ１４の発熱量、およびＩＣチップ１３の発熱量から総発熱量を計算する。さらに、チューブ本体５の比熱および熱伝導特性と先の総発熱量から、チューブ本体５の推定温度を算出する。
【００３３】
発熱開始から経過した時間が所定時間に達した時点で、リーダライタ３とＩＣタグ２との間の通信を遮断して、アンテナ１４による発熱を停止する（ステップ４）。この時点までにコンピュータ４が算出した総発熱量は、チューブ本体５を目標温度にまで加熱できる理論熱量に一致している。しかし、チューブ本体５の形状や肉厚の僅かなばらつきによって熱伝導状態は一様ではないので、加熱したチューブ本体５の表面温度を温度センサー１８で確認し、チューブ本体５が目標温度に達している場合には解凍処理を終了する。また、チューブ本体５が目標温度に達していない場合には、再度ステップ２へ移行して加熱を行う（ステップ５）。以後は、チューブ本体５の表面温度が目標温度に達していることを温度センサー１８が検知した時点で、加熱を強制的に終了して解凍処理を終了する。
【００３４】
本発明者は、内容量が２ｍｌのマイクロチューブ１について加熱実験を行なった。加熱開始時のマイクロチューブ１の温度は２０℃とした。その結果、発熱開始から１００秒が経過した時の装填部９の底面の温度は５０℃となった。また、アンテナ１４に電流を連続して流し続けると、装填部９の底面の温度が１５０℃になることを確認した。この加熱実験から、−８０℃に冷凍されたマイクロチューブ１を解凍して、２０℃まで昇温させるのには、チューブ本体５を約７分間加熱すればよいことが判った。
【００３５】
以上の加熱装置によれば、元来、マイクロチューブ１を管理するためのＩＣタグ２、リーダライタ３、およびコンピュータ４をそのまま利用して、マイクロチューブ１を解凍して所定の温度まで加熱できる。したがって、湯煎式の解凍装置を導入する必要もなく、冷凍したマイクロチューブ１の解凍を少ないコストで行える。また、チューブラック７に装填した一群のマイクロチューブ１を同時に加熱処理することはもちろん、選択されたマイクロチューブ１のみを明確に識別した状態で加熱処理することができるので、エネルギーロスを伴うこともなく無駄なく解凍を行える。必要があれば、選択した複数のマイクロチューブ１を、所定の時間が経過するごとに順次解凍して分析あるいは試験に供することができる。
【００３６】
上記の加熱装置は、解凍処理以外に、マイクロチューブ１を恒温状態に保持するために使用することができる。また、密封し冷凍された酵母が収容してある食品容器（管理対象物）の場合には、食品容器に埋設されたＩＣタグのアンテナを発熱させて酵母を活性化し、発酵を開始させることができる。
【００３７】
本発明に係るＩＣタグを備えている管理対象物の加熱方法は、以下の形態で実施することができる。
試料等を収容する管理対象物１にＩＣタグ２が設けられており、ＩＣタグ２に対して情報信号を送受するリーダライタ３の作動状態をコンピュータ４で制御して、コンピュータ４の指令信号に基づきリーダライタ３とＩＣタグ２との間で通信を確立し、ＩＣタグ２のアンテナ１４およびＩＣチップ１３に電流が流れるときの熱で、管理対象物１および試料を加熱する。
【００３８】
上記の製造方法においては、管理対象物としてマイクロチューブ１を適用できる。また、ＩＣタグ２は、ＩＣチップ１３の表面にアンテナ１４が形成してある１チップ構造のＩＣタグで構成することができる。冷凍したマイクロチューブ１を解凍する場合には、マイクロチューブ１を支持するチューブラック７に設けた温度センサー１８の出力信号に基づき、コンピュータ４がリーダライタ３の作動状態を制御して、冷凍されたチューブ本体５および試料を加熱して解凍する。
【００３９】
上記の製造方法において、リーダライタ３に、チューブラック７に装填した一群のマイクロチューブ１に対応するアンテナ１５の一群を設ける場合には、チューブラック７に装填したマイクロチューブ１の一群を同時に加熱し、あるいは選択されたマイクロチューブ１のみを加熱することができる。
【００４０】
図５はマイクロチューブ１の別の実施例を示す。そこでは、チューブ本体５の底開口に底キャップ２１を固定し、底キャップ２１の内部にＩＣタグ２を埋設するようにした。チューブ本体５の底壁２２は下すぼまりテーパー状に形成してある。チューブ本体５の脚壁１０に嵌合する底キャップ２１の軸部２３の中央には、上向きに開口する接合座２４が形成してあり、先の軸部２３を脚壁１０に嵌合した状態においては、テーパー面状の接合座２４が底壁２２の周面に密着する。したがって、ＩＣタグ２で発生した熱を接合座２４から底壁２２へと効果的に伝導できる。他は先の実施例と同じであるので、同じ部材に同じ符号を付してその説明を省略する。
【００４１】
リーダライタ３は、チューブラック７に装填した個々のマイクロチューブ１に対応するアンテナ１５の一群を備えている必要はない。例えば、縦一列、あるいは横一列のマイクロチューブ１の数に対応するアンテナ１５を備えたアンテナユニットを設けておき、アンテナユニットを横方向、あるいは縦方向へ移動させて、個々のマイクロチューブ１と通信を確立することができる。また、チューブラック７を複数の区画に区分しておき、各区分に対応して設けた１個のアンテナ１５を縦横に移動させて、各区分に配置した個々のマイクロチューブ１と通信を確立することができる。
【００４２】
ＩＣタグ２は、１チップ構造（コイルオンチップ構造）のＩＣタグであることが好ましいが、一般的なＩＣタグであっても適用できる。温度センサー１８は熱電対である必要はなく、例えばＣＭＯＳ温度センサーを適用することができる。また、温度センサー１８をリーダライタ３の側に設けて、チューブラック７をリーダライタ３に載置した状態において、温度センサー１８をチューブ本体５の表面に接触させることができる。
【符号の説明】
【００４３】
１  マイクロチューブ（管理対象物）
２  ＩＣタグ
３  リーダライタ
４  コンピュータ
５  チューブ本体
７  チューブラック
１３  ＩＣチップ
１４  ＩＣタグのアンテナ
１５  リーダライタのアンテナ
【図１】
2012220459.tif 000003
【図２】
2012220459.tif 000004
【図３】
2012220459.tif 000005
【図４】
2012220459.tif 000006
【図５】
2012220459.tif 000007